(57)【要約】      （修正有）【課題】LTE（eNB）とNR（gNB）とのデュアルコネクティビティ（DC）の場合でも、測定の優先度を考慮した適切な測定報告を実行できるユーザ装置を提供する。【解決手段】UE200は、マスタノード及びセカンダリノードの両方に同時に接続するDCをサポートする。UE200は、マスタノード及びセカンダリノードそれぞれからRRCレイヤを介して受信したMeasurement Configurationに基づいて、測定対象セルの受信品質の測定を実行する測定部240を備える。測定設定は、Measurement Configurationの優先度を示す情報を含むmeasurement IDを含む。測定部240は、当該測定の対象とするキャリア数がユーザ装置での上限数を超える場合、優先度が低いmeasurement IDと対応付けられた測定を無効とする。【選択図】図４
2019062474.tif 000002
【特許請求の範囲】
【請求項１】
無線リソース制御レイヤを介してマスタノードと無線通信を実行するとともに、無線リソース制御レイヤを介してセカンダリノードと無線通信を実行し、前記マスタノード及び前記セカンダリノードの両方に同時に接続するデュアルコネクティビティをサポートするユーザ装置であって、
前記マスタノード及び前記セカンダリノードそれぞれから無線リソース制御レイヤを介して受信した測定設定に基づいて、測定対象セルの受信品質の測定を実行する測定部を備え、
前記測定設定は、測定オブジェクト、報告設定、及び前記測定オブジェクトと前記報告設定との組合せを識別する測定識別子を含み、
前記測定識別子は、前記測定設定の優先度を示す情報を含み、
前記測定部は、前記測定の対象とするキャリア数が前記ユーザ装置での上限数を超える場合、前記優先度が低い前記測定識別子と対応付けられた前記測定を無効とするユーザ装置。
【請求項２】
前記測定識別子自体が、所定の前記優先度を示し、
前記測定部は、前記測定識別子自体によって示される前記優先度に基づいて、前記測定を無効とする請求項１に記載のユーザ装置。
【請求項３】
前記測定部は、
前記マスタノードが適用している無線通信技術の優先度、及び前記セカンダリノードが適用している無線通信技術の優先度を示す情報の少なくとも何れかを受信し、
前記無線通信技術の優先度に基づいて、前記測定を無効とする請求項１に記載のユーザ装置。
【請求項４】
前記優先度は、
前記マスタノードが適用している無線通信技術におけるRAT内測定、
前記マスタノードが適用している無線通信技術以外の無線通信技術を含むRAT間測定、
前記セカンダリノードが適用している無線通信技術におけるRAT内測定、及び
前記セカンダリノードが適用している無線通信技術以外の無線通信技術を含むRAT間測定の優先順位を示す請求項１に記載のユーザ装置。
【請求項５】
前記優先度は、所定の仕様によって規定された固定値である請求項３または４に記載のユーザ装置。
【請求項６】
無線リソース制御レイヤを介してマスタノードと無線通信を実行するとともに、無線リソース制御レイヤを介してセカンダリノードと無線通信を実行し、前記マスタノード及び前記セカンダリノードの両方に同時に接続するデュアルコネクティビティをサポートするユーザ装置であって、
前記マスタノード及び前記セカンダリノードそれぞれから無線リソース制御レイヤを介して受信した測定設定に基づいて、測定対象セルの受信品質の測定を実行する測定部を備え、
前記測定設定は、測定オブジェクトを含み、
前記測定オブジェクトは、前記測定設定の優先度を示す情報を含み、
前記測定部は、前記測定の対象とするキャリア数が前記ユーザ装置での上限数を超える場合、前記優先度が低い前記測定オブジェクトと対応付けられた前記測定を無効とするユーザ装置。
【請求項７】
前記測定オブジェクトと対応付けられ、前記測定オブジェクトを識別するオブジェクト識別子自体が、所定の前記優先度を示し、
前記測定部は、前記オブジェクト識別子自体によって示される前記優先度に基づいて、前記測定を無効とする請求項６に記載のユーザ装置。
【請求項８】
前記測定部は、
前記マスタノードが適用している無線通信技術の優先度、及び前記セカンダリノードが適用している無線通信技術の優先度を示す情報の少なくとも何れかを受信し、
前記無線通信技術の優先度に基づいて、前記測定を無効とする請求項６に記載のユーザ装置。
【請求項９】
前記優先度は、
前記マスタノードが適用している無線通信技術におけるRAT内測定、
前記マスタノードが適用している無線通信技術以外の無線通信技術を含むRAT間測定、
前記セカンダリノードが適用している無線通信技術におけるRAT内測定、及び
前記セカンダリノードが適用している無線通信技術以外の無線通信技術を含むRAT間測定の優先順位を示す請求項６に記載のユーザ装置。
【請求項１０】
前記優先度は、所定の仕様によって規定された固定値である請求項８または９に記載のユーザ装置。
【発明の詳細な説明】
【技術分野】
【０００１】
本発明は、マスタノード及びセカンダリノードへのデュアルコネクティビティを実行するユーザ装置に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）などと呼ばれるLTEの後継システムの仕様が検討されている。
【０００３】
具体的には、非特許文献１では、LTE方式の無線基地局（eNB）と、NR方式の無線基地局（gNB）とを用いたデュアルコネクティビティ（DC）において、eNB及びgNBが、それぞれ無線リソース制御レイヤ（RRCレイヤ）のエンティティ（RRCエンティティ）を有することが記載されている。
【０００４】
LTE（eNB）のみのDCでは、マスタノード（MeNB）のRRCエンティティが、セカンダリノード（SeNB）向けを含むユーザ装置（UE）のRRCエンティティを全体的に制御していたが、LTE（eNB）とNR（gNB）とのDC（LTE-NR DC）では、セカンダリノードも、UEに対してRRCメッセージを直接送信することができる。また、UEも、セカンダリセルグループ（SCG）に関する近隣セルの受信品質の測定報告（Measurement Report）をセカンダリノードに直接送信することができる。
【先行技術文献】
【非特許文献】
【０００５】
【非特許文献１】3GPP TR 38.804 V14.0.0 Section 5.2.2.2 Control plane architecture for Dual Connectivity between LTE and NR, 3rd Generation Partnership Project; Technical Specification Group Radio Access Network; Study on New Radio Access Technology; Radio Interface Protocol Aspects (Release 14)、3GPP、2017年3月
【発明の概要】
【発明が解決しようとする課題】
【０００６】
上述したように、無線アクセス技術（RAT）が異なるLTE（eNB）とNR（gNB）とのDCでは、eNB及びgNBそれぞれが、独自に自装置のRRCエンティティを制御し得るため、異なるRATのRRCエンティティ間において、どのようにUEに測定報告を実行させるかが問題になる。
【０００７】
例えば、マスタノードがeNBであり、セカンダリノードがgNBである場合、eNBが、異RAT（つまり、NR）のキャリアに対するイベント（例えば、3GPP TS36.3331で規定されるEvent B1相当）を設定し、gNBが自RAT（つまり、NR）のキャリアに対するイベント（同Event A4相当）を設定するため、設定内容が競合する可能性がある。
【０００８】
そこで、本発明は、このような状況に鑑みてなされたものであり、LTE（eNB）とNR（gNB）とのデュアルコネクティビティ（DC）の場合でも、測定の優先度を考慮した適切な測定報告を実行できるユーザ装置の提供を目的とする。
【課題を解決するための手段】
【０００９】
本発明の一態様は、無線リソース制御レイヤを介してマスタノードと無線通信を実行するとともに、無線リソース制御レイヤを介してセカンダリノードと無線通信を実行し、前記マスタノード及び前記セカンダリノードの両方に同時に接続するデュアルコネクティビティをサポートするユーザ装置であって、前記マスタノード及び前記セカンダリノードそれぞれから無線リソース制御レイヤを介して受信した測定設定に基づいて、測定対象セルの受信品質の測定を実行する測定部を備え、前記測定設定は、測定オブジェクト、報告設定、及び前記測定オブジェクトと前記報告設定との組合せを識別する測定識別子を含み、前記測定識別子は、前記測定設定の優先度を示す情報を含み、前記測定部は、前記測定の対象とするキャリア数が前記ユーザ装置での上限数を超える場合、前記優先度が低い前記測定識別子と対応付けられた前記測定を無効とする。
【００１０】
本発明の一態様は、無線リソース制御レイヤを介してマスタノードと無線通信を実行するとともに、無線リソース制御レイヤを介してセカンダリノードと無線通信を実行し、前記マスタノード及び前記セカンダリノードの両方に同時に接続するデュアルコネクティビティをサポートするユーザ装置であって、前記マスタノード及び前記セカンダリノードそれぞれから無線リソース制御レイヤを介して受信した測定設定に基づいて、測定対象セルの受信品質の測定を実行する測定部を備え、前記測定設定は、測定オブジェクトを含み、前記測定オブジェクトは、前記測定設定の優先度を示す情報を含み、前記測定部は、前記測定の対象とするキャリア数が前記ユーザ装置での上限数を超える場合、前記優先度が低い前記測定オブジェクトと対応付けられた前記測定を無効とする。
【発明の効果】
【００１１】
上述したユーザ装置によれば、LTE（eNB）とNR（gNB）とのデュアルコネクティビティ（DC）の場合でも、測定の優先度を考慮した適切な測定報告を実行できる。
【図面の簡単な説明】
【００１２】
【図１】図１は、無線通信システム10の全体概略構成図である。
【図２】図２は、eNB100Aの機能ブロック構成図である。
【図３】図３は、gNB100Bの機能ブロック構成図である。
【図４】図４は、UE200の機能ブロック構成図である。
【図５】図５は、LTE-NR DCにおける測定報告（Measurement Report）動作の説明図である。
【図６】図６は、eNB100A（マスタノード）及びgNB100B（セカンダリノード）によるmeasurement objectの優先処理の説明図（変更例１）である。
【図７】図７は、eNB100A（マスタノード）及びgNB100B（セカンダリノード）によるmeasurement objectの優先処理の説明図（変更例２）である。
【図８】図８は、eNB100A, gNB100B、及びUE200のハードウェア構成の一例を示す図である。
【発明を実施するための形態】
【００１３】
以下、実施形態を図面に基づいて説明する。なお、同一の機能や構成には、同一または類似の符号を付して、その説明を適宜省略する。
【００１４】
（１）無線通信システムの全体概略構成
図１は、本実施形態に係る無線通信システム10の全体概略構成図である。無線通信システム10は、Long Term Evolution（LTE）及び5G New Radio（NR）に従った無線通信システムである。無線通信システム10は、無線基地局100A（以下、eNB100A）及び無線基地局100B（以下、gNB100B）を含む。さらに、無線通信システム10は、ユーザ装置200（以下、UE200）を含む。eNB100A及びgNB100Bは、RRCレイヤを介してUE200と無線通信を実行する。
【００１５】
本実施形態では、eNB100Aは、LTE方式（E-UTRA方式）の無線基地局（eNB）であり、マスタノードを構成することができる。gNB100Bは、NR方式の無線基地局（gNB）であり、セカンダリノードを構成することができる。
【００１６】
無線通信システム10は、LTE方式のeNB100Aと、NR方式のgNB100Bとを用いたデュアルコネクティビティ（以下、LTE-NR DC）をサポートする。DCでは、マスタノード及びセカンダリノードの両方が同時にUE200と接続する。つまり、UE200は、同時にeNB100A及びgNB100Bと無線リソース制御レイヤ（RRCレイヤ）のコネクションを設定し、ユーザデータの送受信を実行できる。
【００１７】
また、図１に示すように、LTE-NR DCを実現するための制御プレーンのアーキテクチャとしては、eNB100Aは、コアネットワーク（不図示）向けにS1-CまたはNG-Cインタフェースを備える。また、eNB100AとgNB100Bとは、Xx-Cインタフェースによって接続される。UE200は、eNB100A及びgNB100Bと、Uuインタフェースを介してユーザデータを送受信する。
【００１８】
（２）無線通信システムの機能ブロック構成
次に、無線通信システム10の機能ブロック構成について説明する。具体的には、eNB100A、gNB100B及びUE200の機能ブロック構成について説明する。
【００１９】
（２．１）eNB100A及びgNB100B
図２は、eNB100Aの機能ブロック構成図であり、図３は、gNB100Bの機能ブロック構成図である。図２及び図３に示すように、eNB100A及びgNB100Bは、同様の機能ブロックを備える。
【００２０】
具体的には、eNB100Aは、無線通信部110A、RRC制御部120A及び測定制御部130Aを備える。また、gNB100Bは、無線通信部110B、RRC制御部120B及び測定制御部130Bを備える。以下、eNB100Aの各機能ブロックについて主に説明する。
【００２１】
無線通信部110Aは、LTE方式に従った無線通信を実行する。具体的には、無線通信部110Aは、UE200とLTE方式に従った無線信号を送受信する。当該無線信号には、RRCレイヤのメッセージ及びユーザデータなどが多重される。
【００２２】
RRC制御部120Aは、RRCレイヤにおける制御を実行する。具体的には、RRC制御部120Aは、LTEに従ったRRCエンティティを構成し、RRCメッセージの送受信を実行する。これにより、RRC制御部120Aは、UE200とのRRCコネクションの確立及び解放などを制御する。
【００２３】
また、本実施形態では、RRC制御部120Aは、eNB100A及びgNB100Bの両方について、UE200による測定対象セルにおける測定の設定内容を示すMeasurement Configuration（測定設定）をUE200に送信することができる。
【００２４】
測定制御部130Aは、UE200による測定対象セルの受信品質の測定を制御する。具体的には、測定制御部130Aは、UE200による測定対象セルとして、UE200のサービングセル及び近隣セルの受信品質の測定を制御する。
【００２５】
より具体的には、測定制御部130Aは、Measurement Configuration（測定設定）の内容を決定する。Measurement Configurationは、measurement object（測定オブジェクト）、measurement ID（測定識別子）及びreport configuration（報告設定）を含む。
【００２６】
measurement object、measurement ID及びreport configurationの具体的な内容は、3GPP TS36.331 5.5章に記載されたとおりである。例えば、measurement objectとしては、測定対象とするキャリア周波数の情報が含まれている。また、measurement objectまたはmeasurement IDには、Measurement Configurationの優先度を示す情報が含まれてもよい。
【００２７】
このように、Measurement Configurationは、UE200による測定対象セルにおける測定の設定内容を示す。本実施形態では、Measurement Configurationは、測定制御部130A及びgNB100Bの測定制御部130Bで共通とすることができる。
【００２８】
或いは、Measurement Configurationのうち、measurement object及びmeasurement IDのみが、測定制御部130A及び測定制御部130Bで共通としてもよい。さらに、Measurement Configurationのうち、measurement objectのみが、測定制御部130A及び測定制御部130Bで共通としてもよい。
【００２９】
また、測定制御部130Aは、RRC制御部120Aが、eNB100A及びgNB100Bの両方について、Measurement Configurationを決定した場合、決定したMeasurement Configurationを測定制御部130Bに通知する。
【００３０】
さらに、測定制御部130Aは、Measurement Configurationに従ってUE200による測定の対象とするキャリア数の情報を測定制御部130Bと共有することができる。
【００３１】
具体的には、測定制御部130Aは、測定制御部130Aが決定したMeasurement Configurationに含まれるmeasurement objectに従って、測定の対象となるキャリア数の情報を測定制御部130Bに提供する。また、測定制御部130Aは、測定制御部130Bが決定した測定の対象となるキャリア数の情報を測定制御部130Bから取得する。
【００３２】
図３に示すgNB100Bの無線通信部110B、RRC制御部120B及び測定制御部130Bは、対応しているRATがNRであることを除き、上述したeNB100Aの無線通信部110A、RRC制御部120A及び測定制御部130Aと概ね同様の機能を有する。
【００３３】
（２．２）UE200
図４は、UE200の機能ブロック構成図である。図４に示すように、UE200は、無線通信部210、LTE-RRC制御部220、NR-RRC制御部230及び測定部240を備える。
【００３４】
無線通信部210は、LTE方式及びNR方式に従った無線通信を実行する。具体的には、無線通信部210は、eNB100AとLTE方式に従った無線信号を送受信する。また、無線通信部210は、gNB100BとNR方式に従った無線信号を送受信する。当該無線信号には、RRCレイヤのメッセージ及びユーザデータなどが多重される。
【００３５】
LTE-RRC制御部220は、LTE向け（eNB100A）向けのRRCレイヤにおける制御を実行する。具体的には、LTE-RRC制御部220は、LTEに従ったRRCエンティティを構成し、RRCメッセージの送受信を実行する。これにより、LTE-RRC制御部220は、eNB100AとのRRCコネクションの確立及び解放などを実行する。
【００３６】
NR-RRC制御部230は、NR向け（gNB100B）向けのRRCレイヤにおける制御を実行する。具体的には、NR-RRC制御部230は、NRに従ったRRCエンティティを構成し、RRCメッセージの送受信を実行する。これにより、NR-RRC制御部230は、gNB100BとのRRCコネクションの確立及び解放などを実行する。
【００３７】
測定部240は、eNB100A及びgNB100Bから受信したMeasurement Configurationに基づいて、測定対象セルの受信品質の測定を実行する。具体的には、測定部240は、eNB100A及びgNB100BそれぞれからRRCレイヤを介してMeasurement Configurationを受信する。Measurement Configurationは、RRCメッセージの一種であるRRC Connection Reconfigurationなどに含まれる。
【００３８】
特に、測定部240は、測定の対象とするキャリア数がUE200での上限数（能力値と呼ばれてもよい）を超える場合、上限数を超えるキャリアにおける測定を無効にできる。なお、上限数は、UE200が同時に実行可能な測定数（測定対象のキャリア数）によって定まる。
【００３９】
この場合、測定部240は、測定対象セルまたはキャリアと関連付けられた優先度に基づいて当該測定を無効とするキャリアを決定できる。
【００４０】
上述したように、Measurement Configuration（測定設定）は、measurement object（測定オブジェクト）、measurement ID（測定識別子）及びreport configuration（報告設定）を含む。measurement IDは、measurement objectとreport configurationとの組合せを識別する。
【００４１】
measurement IDは、Measurement Configurationの優先度を示す情報を含むことができる。具体的には、LTE RRCによって設定されるmeasurement IDには、優先度を示す番号が付与される。NR RRCによって設定されるmeasurement IDにも、同様な優先度を示す番号が付与される。
【００４２】
本実施形態では、当該番号は、小さい程高い優先度（優先順位）を示し、大きい程低い優先度（優先順位）を示す。逆に、当該番号は、大きい程高い優先度（優先順位）を示すようにしてもよい。
【００４３】
測定部240は、測定対象セルの受信品質の測定の対象とするキャリア数がUE200での上限数を超える場合、優先度が低いmeasurement IDと対応付けられた当該測定を無効とする、つまり、当該測定を実行せずに中止することができる。具体的には、測定部240は、当該キャリア数が上限数を超える場合、優先度が低いmeasurement IDと対応付けられた当該測定から無効（中止）とする。
【００４４】
なお、measurement ID自体が、所定の優先度を示してもよい。つまり、measurement IDには、優先度を示す番号が付与されず、measurement IDの値（例えば、ID#1, 2）が直接優先度（優先順位）を示してもよい。例えば、測定部240は、measurement IDが#1であれば、最も高い優先度を意味すると認識する。
【００４５】
この場合、測定部240は、measurement ID自体によって示される優先度に基づいて、無効とする測定を決定し、当該測定を無効とする。
【００４６】
また、上述したように、測定部240は、eNB100A及びgNB100BそれぞれからRRCレイヤを介してMeasurement Configurationを受信することができる。Measurement Configurationを含むRRCメッセージには、eNB100A（マスタノード）が適用している無線通信技術（RAT）の優先度、及びgNB100B（セカンダリノード）が適用している無線通信技術（RAT）の優先度を示す情報の少なくとも何れかが含まれてもよい。
【００４７】
つまり、測定部240は、マスタノードが適用しているRATの優先度、及びセカンダリノードが適用しているRATの優先度を示す情報の少なくとも何れかを、ネットワーク（eNB100AまたはgNB100B）から受信することができる。
【００４８】
或いは、Measurement Configurationを含むRRCメッセージには、LTE RRCによって設定されるMeasurement Configuration、及びNR RRCによって設定されるMeasurement Configurationの優先度を示す情報が含まれてもよい。
【００４９】
さらに或いは、Measurement Configurationを含むRRCメッセージには、マスタノード（eNB100A）に関連するMeasurement Configuration、及びセカンダリノード（gNB100B）に関連するMeasurement Configurationの優先度を示す情報がさらに含まれてもよい。
【００５０】
また、RATの優先度（RAT優先度）、及びMeasurement Configurationの優先度（測定設定優先度）は、Measurement Configurationを含むRRCメッセージとは別のRRCメッセージに含まれても構わない。この場合、測定部240は、RAT優先度または測定設定優先度に基づいて、無効とする測定を決定し、当該測定を無効とする。
【００５１】
さらに、次の４つの測定カテゴリに分類された測定に対する優先度（優先順位）を示す情報が用いられてもよい。
【００５２】
(a) マスタノード（eNB100A）が適用している無線通信技術におけるRAT内測定
(b) マスタノードが適用している無線通信技術以外の無線通信技術を含むRAT間測定
(c) セカンダリノード（gNB100B）が適用している無線通信技術におけるRAT内測定
(d) セカンダリノードが適用している無線通信技術以外の無線通信技術を含むRAT間測定
【００５３】
また、このような優先度（カテゴリ優先度）もMeasurement Configurationを含むRRCメッセージ、またはMeasurement Configurationを含むRRCメッセージとは別のRRCメッセージに含まれても構わない。なお、RAT優先度、測定設定優先度及びカテゴリ優先度は、所定の仕様（例えば、3GPPの技術標準）によって規定された固定値であってもよい。
【００５４】
例えば、カテゴリ優先度であれば、(a), (c), (b), (d)として、優先順位（(a)が最も高く、(d)が最も低い）を固定してもよい。
【００５５】
なお、同一カテゴリ内では、上述したmeasurement IDに付与された優先度に基づいて、測定の優先順位が決定される。つまり、測定部240は、同一カテゴリ内では、上述したmeasurement IDに付与された優先度に基づいて、優先度が低いmeasurement IDと対応付けられた当該測定から無効（中止）とする。
【００５６】
さらに、measurement IDに代えて、measurement objectが、Measurement Configurationの優先度を示す情報を含んでもよい。この場合、測定部240は、測定対象セルの受信品質の測定の対象とするキャリア数がUE200での上限数を超える場合、優先度が低いmeasurement objectと対応付けられた測定を無効とする、つまり、当該測定を実行せずに中止することができる。
【００５７】
なお、この場合でも、measurement objectと対応付けられ、measurement objectを識別するobject ID、具体的には、MeasObjectId（オブジェクト識別子）自体が、所定の優先度を示してもよい。
【００５８】
また、measurement objectが、Measurement Configurationの優先度を示す情報を含む場合でも、measurement IDがMeasurement Configurationの優先度を示す情報を含む場合と同様に、測定部240は、RAT優先度、測定設定優先度及びカテゴリ優先度に基づいて、無効とする測定を決定し、当該測定を無効としてもよい。
【００５９】
（３）無線通信システムの動作
次に、無線通信システム10の動作について説明する。具体的には、LTE方式（E-UTRA方式）のeNB100Aと、NR方式のgNB100Bとを用いたデュアルコネクティビティ（LTE-NR DC）におけるMeasurement Configuration（測定設定）に関する動作について説明する。
【００６０】
具体的には、LTE-NR DCにおけるMeasurement Configurationに基づく測定報告（Measurement Report）の動作例について説明する。
【００６１】
（３．１）動作例１
本動作例では、LTEのRRCエンティティ（LTE RRC）と、NRのRRCエンティティ（NR RRC）とが、独立して動作する。
【００６２】
（３．１．１）基本動作例
図５は、LTE-NR DCにおける測定報告（Measurement Report）動作の説明図である。
【００６３】
図５に示すように、ネットワーク側、具体的には、eNB100A（マスタノード）及びgNB100B（セカンダリノード）、さらにUE200は、LTE RRC及びNR RRCを完全に独立してMeasurement Configuration（measurement object/measurement ID/report configuration）を設定する。
【００６４】
UE200は、eNB100A及びgNB100Bのそれぞれから受信したMeasurement Configurationに基づいて、測定対象セルの測定をそれぞれ実行する。また、UE200は、測定対象セルの測定結果を含むMeasurement ReportをeNB100A及びgNB100Bにそれぞれ送信する。
【００６５】
つまり、本動作例では、同一のキャリア周波数に対して、LTE RRC及びNR RRCの両方が同時にmeasurement object及びmeasurement IDを設定し得る。但し、測定の対象とするキャリア数の情報は、eNB100AとgNB100Bとの間で共有される。
【００６６】
具体的には、上述したように、eNB100A（測定制御部130A）及びgNB100B（測定制御部130B）は、当該キャリア数の情報を交換することによって、UE200が同時に実行可能な測定数（上限数）を超えないように調整する。つまり、当該上限数は、LTE RRC及びNR RRCによってそれぞれ測定対象として設定されるキャリア数の合計値となるためである。
【００６７】
より具体的には、eNB100Aは、LTE内での上限数に基づいてキャリア数を決定し、gNB100Bは、NR内での上限数に基づいてキャリア数を決定する。さらに、eNB100A及びgNB100Bは、それぞれ決定したキャリア数の情報を交換し、決定したキャリア数の合計値が、UE200が同時に実行可能な測定数を超えないように調整する。
【００６８】
（３．１．２）変更例１
動作例１では、測定の対象とするキャリア数の情報が、eNB100AとgNB100Bとの間で共有されるが、このような情報の共有がなされない場合には、上述した上限数を超える恐れがある。そこで、UE200は、LTE RRC及びNR RRCによってそれぞれ測定対象として設定されたキャリア数の合計が上限値を超える場合、セカンダリノード（本実施形態では、gNB100B）によって設定されたmeasurement object（キャリア周波数）を任意に幾つか無効にすることによって、上限値以下となるようにしてもよい。
【００６９】
或いは、eNB100AまたはgNB100Bが、マスタセルグループ（MCG）またはセカンダリセルグループ（SCG）に関する測定の優先度を低く設定し、UE200は、優先度の低いセルグループに関するmeasurement objectを無効とすることによって、当該上限値以下となるようにしてもよい。
【００７０】
さらに、eNB100AまたはgNB100Bが、それぞれのmeasurement IDに優先度を付与し、UE200は、優先度の低いmeasurement IDと対応するmeasurement objectを無効とすることによって、当該上限値以下となるようにしてもよい。
【００７１】
以下、図６を参照して、さらに具体的に説明する。図６は、eNB100A（マスタノード）及びgNB100B（セカンダリノード）によるmeasurement objectの優先処理の説明図（変更例１）である。
【００７２】
図６では、キャリア周波数（具体的には、CCの周波数）として、x, y（LTE/E-UTRA）及びa, b, c（NR）が割り当てられている。また、図中のA3, A4, A6, B1は、3GPP TS36.331で規定されるイベントを意味する。具体的には、以下のとおり規定されている。
【００７３】
・A3：  Neighbour becomes offset better than PCell/ PSCell
・A4：  Neighbour becomes better than absolute threshold
・A6：  Neighbour becomes offset better than SCell
・B1：  Inter RAT neighbour becomes better than threshold
【００７４】
図６に示すように、eNB100Aが設定するMCG内のセル（測定対象セル）、具体的には、近隣セル（Neighbour Cell）に対して、優先度１〜４（優先度１が高優先度）の測定が設定されている。同様に、gNB100Bが設定するSCG内のセル（測定対象セル）に対しても、優先度１〜４の測定が設定されている。
【００７５】
ここで、UE200（図６では不図示）が同時に実行可能な測定数（具体的には、測定対象のキャリア数）である上限数が７である場合、UE200は、全ての測定（合計８）を実行できず、何れか一つは測定を無効とする必要がある。
【００７６】
例えば、SCGの優先度がMCGの優先度よりも低く設定されている場合、UE200は、gNB100Bが設定した優先度４の測定（Event A6を用いたNR Carrier frequency b）を無効とする。
【００７７】
逆に、MCGの優先度がSCGの優先度よりも低く設定されている場合、UE200は、eNB100Aが設定した優先度４の測定（Event B1を用いたNR Carrier frequency c）を無効とする。
【００７８】
（３．１．３）変更例２
図７は、eNB100A（マスタノード）及びgNB100B（セカンダリノード）によるmeasurement objectの優先処理の説明図（変更例２）である。以下、変更例１と異なる部分について主に説明する。
【００７９】
本変更例では、セルではなく、キャリアに対して優先度が設定される。なお、MCG及びSCG内のセルの構成及びEventの設定状態は、変更例１と同様である。
【００８０】
ここで、UE200（図７では不図示）が同時に実行可能な測定数（具体的には、測定対象のキャリア数）である上限数が４である場合、UE200は、全ての測定（合計５）を実行できず、何れか一つは測定を無効とする必要がある。
【００８１】
例えば、SCGの優先度がMCGの優先度よりも低く設定されている場合、UE200は、gNB100Bが設定した優先度３の測定（Event A4を用いたNR Carrier frequency c）を無効とする。
【００８２】
逆に、MCGの優先度がSCGの優先度よりも低く設定されている場合、UE200は、eNB100Aが設定した優先度２の測定（Event A3, A6を用いたE-UTRA Carrier frequency y）を無効とする。
【００８３】
（３．１．４）優先度の具体的な設定例
上述した動作例（変更例）では、測定対象セルの受信品質の測定の対象とするキャリア数がUE200での上限数を超える場合、優先度が低い測定を無効（中止）とする。ここでは、当該優先度の具体的な設定例について説明する。
【００８４】
表１に示すように、Measurement Configurationの情報要素（IE）は、measurement object、measurement ID及びreport configurationなどフィールドを含む。
【００８５】
【表１】
2019062474.tif 000003
【００８６】
表２は、measurement IDに付与される優先度の設定例を示す。
【００８７】
【表２】
2019062474.tif 000004
【００８８】
表２に示すように、それぞれのmeasurement ID（#1〜4）には、優先度（1〜4）が付与される。上述したように、本実施形態では、優先度の番号（数値）は、小さい程高い優先度（優先順位）を示す。
【００８９】
また、上述したように、優先度を付与せずに、measurement ID自体が、直接優先度を示してもよい。表２の例では、measurement ID#1が最も高い優先度を意味する。
【００９０】
表３は、measurement objectに付与される優先度の設定例を示す。
【００９１】
【表３】
2019062474.tif 000005
【００９２】
表３に示すように、measurement objectの一種であるMeasObjectEUTRA（EUTRAの測定キャリアに関するmeasurement object）に含まれるEUTRA carrier frequency（#1, 2）には、優先度（1, 2）が付与される。
【００９３】
また、上述したように、優先度を付与せずに、measurement objectと対応付けられているobject ID（MeasObjectId）自体が、直接優先度を示してもよい。
【００９４】
表４は、measurement objectと対応付けられているMeasObjectId自体による優先度の設定例を示す。
【００９５】
【表４】
2019062474.tif 000006
【００９６】
表４に示すようにMeasObjectId（#1, 2）のMeasObjectEUTRAは、優先度（1, 2）と認識される。また、MeasObjectId（#3）のMeasObjectNR（NRの測定キャリアに関するmeasurement object）は、優先度（3）と認識される。
【００９７】
（４）作用・効果
上述した実施形態によれば、以下の作用効果が得られる。具体的には、上述した動作例１によれば、測定の対象とするキャリア数の情報は、eNB100AとgNB100Bとの間で共有される。このため、LTEのRRCエンティティ（LTE RRC）と、NRのRRCエンティティ（NR RRC）との独立したMeasurement Configurationの設定を許容しつつ、UE200が同時に実行可能な測定数（測定対象のキャリア数）、つまり、上限数を超えないようにすることができる。
【００９８】
これにより、LTE-NR DCの場合でも、適切なMeasurement Reportを実行できる。
【００９９】
変更例１によれば、UE200は、測定の対象とするキャリア数がUE200での上限数を超える場合、当該上限数を超えるキャリアにおける測定を無効とできる。このため、測定の対象とするキャリア数の情報が、eNB100AとgNB100Bとの間で共有されない場合でも、上限数を超えない範囲で、測定を実行することができる。
【０１００】
さらに、無効とする測定（具体的には、測定対象セルまたはキャリアと関連付けられた測定）には、優先度を付与することが可能なため、重要な測定を高確率で実行し得る。
【０１０１】
変更例２によれば、UE200は、eNB100A及びgNB100Bのそれぞれに対して、Measurement Reportを同一のタイミングで送信する事象が発生した場合、eNB100A及びgNB100Bの何れか一方に対してMeasurement Reportを当該タイミングにおいて送信し、他方に対してMeasurement Reportを当該タイミングよりも後のタイミングにおいて送信できる。このため、eNB100A及びgNB100BへのMeasurement Reportの報告タイミングが競合する場合でも、確実にMeasurement Reportを送信できる。
【０１０２】
さらに、何れのMeasurement Report（具体的には、測定対象セルまたは測定と関連付けられたMeasurement Report）先に送信するかには、優先度を付与することが可能なため、重要なMeasurement Reportを高確率で送信し得る。
【０１０３】
また、上述したように、本実施形態では、measurement ID或いはmeasurement objectにMeasurement Configurationの優先度を付与することができる。このため、eNB100A及びgNB100Bは、UE200に対して明示的に優先すべき測定を指示することができる。これにより、UE200は、優先すべき測定をより確実に実行することができ、結果的に無線通信システム10としての品質向上に貢献し得る。
【０１０４】
さらに、本実施形態では、measurement ID自体が所定の優先度を示すようにすることもできる。このため、優先度を示すために特別のフィールド（ビット）を用いる必要がなく、無線リソースの抑制を図り得る。
【０１０５】
本実施形態では、マスタノード（eNB100A）及びセカンダリノード（gNB100B）が適用している無線通信技術（RAT）、さらに、各ノードにおけるRAT内測定及びRAT間測定の優先度を示すこともできる。このため、UE200は、RATを考慮した適切な測定を確実に実行することができる。さらに、このような優先度は、所定の仕様（例えば、3GPPの技術標準）によって規定された固定値として予め規定されれば、RRCメッセージを用いて当該優先度をUE200に都度送信する必要もない。
【０１０６】
（５）その他の実施形態
以上、実施形態に沿って本発明の内容を説明したが、本発明はこれらの記載に限定されるものではなく、種々の変形及び改良が可能であることは、当業者には自明である。
【０１０７】
例えば、上述した実施形態では、eNB100AがLTE方式の無線基地局（eNB）であり、マスタノードを構成し、gNB100BがNR方式の無線基地局（gNB）であり、セカンダリノードを構成していたが、このような構成は逆でもよい。つまり、NR方式の無線基地局（gNB）がマスタノードを構成し、LTE方式の無線基地局（eNB）がセカンダリノードを構成してもよい。
【０１０８】
また、上述した実施形態の説明に用いたブロック構成図（図２〜４）は、機能ブロックを示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１０９】
さらに、上述したeNB100A, gNB100B及びUE200（当該装置）は、本発明の処理を行うコンピュータとして機能してもよい。図８は、当該装置のハードウェア構成の一例を示す図である。図８に示すように、当該装置は、プロセッサ1001、メモリ1002、ストレージ1003、通信装置1004、入力装置1005、出力装置1006及びバス1007などを含むコンピュータ装置として構成されてもよい。
【０１１０】
当該装置の各機能ブロック（図２〜４参照）は、当該コンピュータ装置の何れかのハードウェア要素、または当該ハードウェア要素の組み合わせによって実現される。
【０１１１】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【０１１２】
メモリ1002は、コンピュータ読み取り可能な記録媒体であり、例えば、ROM（Read
Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１１３】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１１４】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１１５】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１１６】
また、プロセッサ1001及びメモリ1002などの各装置は、情報を通信するためのバス1007で接続される。バス1007は、単一のバスで構成されてもよいし、装置間で異なるバスで構成されてもよい。
【０１１７】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１１８】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１１９】
上述した実施形態におけるシーケンス及びフローチャートなどは、矛盾の無い限り、順序を入れ替えてもよい。
【０１２０】
また、上述した実施形態において、eNB100A（gNB100B、以下同）によって行われるとした特定動作は、他のネットワークノード（装置）によって行われることもある。また、複数の他のネットワークノードの組み合わせによってeNB100Aの機能が提供されても構わない。
【０１２１】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１２２】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１２３】
eNB100A（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１２４】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【０１２５】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２７】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１２８】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１２９】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１３０】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【０１３１】
10  無線通信システム
100A  eNB
100B  gNB
110A, 110B  無線通信部
120A, 120B RRC制御部
130A, 130B測定制御部
200  UE
210  無線通信部
220  LTE-RRC制御部
230  NR-RRC制御部
240  測定部
1001  プロセッサ
1002  メモリ
1003  ストレージ
1004  通信装置
1005  入力装置
1006  出力装置
1007  バス
【図１】
2019062474.tif 000007
【図２】
2019062474.tif 000008
【図３】
2019062474.tif 000009
【図４】
2019062474.tif 000010
【図５】
2019062474.tif 000011
【図６】
2019062474.tif 000012
【図７】
2019062474.tif 000013
【図８】
2019062474.tif 000014